(57)【要約】【課題】視覚刺激の急激な時間的変化を緩和し、動画像の画質を向上させる。【解決手段】プロジェクタ１１は、動画像に対応するレーザ光を、スクリーン１２に照射する。スクリーン１２は、プロジェクタ１１により照射されたレーザ光を受光し、レーザ光に対応する動画像を表示する。スクリーン１２には、受光したレーザ光に応じて残光時間が20msec以下の燐光または蛍光を発生する残光材料１３が塗布されている。本発明は、例えば、レーザ光を光源としたプロジェクタからのレーザ光を受光するスクリーンに適用することができる。【選択図】図１
2006091463.tif 000002
【特許請求の範囲】
【請求項１】
レーザ光を受光することにより、前記レーザ光に対応する動画像を表示するスクリーンを備え、
前記スクリーンには、受光した前記レーザ光に応じて残光時間が20msec以下の燐光を発生する材料が、塗布されている
ことを特徴とする表示装置。
【請求項２】
前記材料は、硫化亜鉛蛍光体、ストロンチウムアルミネート、白金錯体である
ことを特徴とする請求項１に記載の表示装置。
【請求項３】
前記材料は、赤色、緑色、または青色のレーザ光の波長に対応する材料である
ことを特徴とする請求項１に記載の表示装置。
【請求項４】
前記スクリーンには、前記スクリーンの中心を含む領域に塗布される前記材料の濃度が、他の領域に塗布される前記材料の濃度に比べて濃くなるように、前記材料が塗布されている
ことを特徴とする請求項１に記載の表示装置。
【請求項５】
前記残光時間は、8.3msec以下である
ことを特徴とする請求項１に記載の表示装置。
【請求項６】
可視領域のレーザ光を受光することにより、前記レーザ光に対応する動画像を表示するスクリーンを備え、
前記スクリーンには、受光した前記レーザ光に応じて蛍光を発生する材料が、塗布されている
ことを特徴とする表示装置。
【請求項７】
前記材料は、硫化亜鉛蛍光体、ストロンチウムアルミネート、白金錯体である
ことを特徴とする請求項６に記載の表示装置。
【請求項８】
前記材料は、赤色、緑色、または青色のレーザ光の波長に対応する材料である
ことを特徴とする請求項６に記載の表示装置。
【請求項９】
前記スクリーンには、前記スクリーンの中心を含む領域に塗布される前記材料の濃度が、他の領域に塗布される前記材料の濃度に比べて濃くなるように、前記材料が塗布されている
ことを特徴とする請求項６に記載の表示装置。
【請求項１０】
レーザ光を照射する照射装置と、前記レーザ光を受光する表示装置とを備える表示システムにおいて、
前記照射装置は、
所定の動画像に対応する前記レーザ光を前記表示装置に照射する照射手段
を備え、
前記表示装置は、
前記照射手段により照射されたレーザ光を受光することにより、前記レーザ光に対応する動画像を表示するスクリーン
を備え、
前記スクリーンには、受光した前記レーザ光に応じて残光時間が20msec以下の燐光を発生する材料が、塗布されている
ことを特徴とする表示システム。
【請求項１１】
可視領域のレーザ光を照射する照射装置と、前記レーザ光を受光する表示装置とを備える表示システムにおいて、
前記照射装置は、
所定の動画像に対応する前記レーザ光を前記表示装置に照射する照射手段
を備え、
前記表示装置は、
前記照射手段により照射されたレーザ光を受光することにより、前記レーザ光に対応する動画像を表示するスクリーン
を備え、
前記スクリーンには、受光した前記レーザ光に応じて蛍光を発生する材料が、塗布されている
ことを特徴とする表示システム。
【発明の詳細な説明】
【技術分野】
【０００１】
本発明は、表示装置および表示システムに関し、特に、視覚刺激の急激な時間的変化を緩和し、動画像の画質を向上させることができるようにする表示装置および表示システムに関する。
【背景技術】
【０００２】
従来、レーザ光を用いた各種の光学機器が考案されている。しかしながら、レーザ光は残光がないため、いくつかの問題が生じる場合がある。
【０００３】
例えば、ユーザが、プロジェクタにより反射型スクリーンに表示された画像を、レーザ光を投射（照射）するポインタを用いて指示する場合、レーザ光は残光がないため、ユーザは、反射型スクリーン上のポインタの光点を見失いやすいという問題がある。そこで、約４００ｎｍ以下の波長の青紫色から紫外線領域のレーザ光に効率よく反応して、燐光または蛍光を発生する材料物質を、反射型スクリーンの表面に塗布する投射画像用ポインタシステムがある（例えば、特許文献１参照）。
【０００４】
また、レーザ光を光源としたスキャンタイププロジェクタにより、スクリーンに照射されるレーザ光には、高精細かつ、各色波長の半値幅が小さいことによる色純度の高さなどの特徴があるが、レーザ光は残光がないため、スクリーンに動画像を表示する場合、動画像が離散的な動きをしているように見える、いわゆるジャーキネス(jerkiness)と呼ばれる画質劣化が生じやすいという問題がある。
【０００５】
即ち、残光がないレーザ光を光源としたスキャンタイププロジェクタにより、スクリーンに動画像が表示される場合、残光がある光を光源とした表示装置に動画像が表示される場合に比べて、ユーザの動画像を追従する眼球運動において、網膜上の動画像のエッジ部分の輝度差は大きくなり、視覚刺激が時間的に急激に変化するため、ジャーキネスが生じやすい。
【０００６】
【特許文献１】特開２００４−１０９９５４号公報
【発明の開示】
【発明が解決しようとする課題】
【０００７】
ところで、特許文献１に記載されている反射型スクリーンでは、ポインタの光点を見失わないようにするため、ポインタの軌跡がわかるように残光を発生させる。従って、例えば、光覚閾値における刺激の強度と刺激の呈示時間との関係を表すブロックの法則が成り立つ20msec（ミリ秒）を、眼の積分時間と見積もると、反射型スクリーンに塗布された材料物質が発生する燐光または蛍光の残光時間は、約20msec以上必要であると考えられる。なお、ブロックの法則については、例えば、「視覚情報処理ハンドブック」（朝倉書店、２０００年，２１９頁）に記載されている。
【０００８】
しかしながら、フレームレートが６０Ｈｚ、即ち１フレーム当たりの時間が約16.7msecの動画像が、液晶ディスプレイなどにフレーム単位で表示される場合、即ち約16.7msecごとに、１フレームの動画像がホールドされて表示される場合、ユーザの追従視による動画ボケが顕著であることは、一般的に知られており、この動画ボケは、ホールドされて表示される時間が長いほど生じやすい。
【０００９】
上述したように、特許文献１に記載されている反射型スクリーンは、約20msec以上の残光時間の燐光を発生すると考えられるので、この反射型スクリーンで、動画像を表示する場合、約20msec以上の間、残光に対応する動画像がホールドされて表示されることになり、動画ボケが顕著である。
【００１０】
従って、特許文献１に記載されている反射型スクリーンにおいては、動画ボケの発生を抑制しつつ、燐光または蛍光を発生して、ジャーキネスの発生を防止し、動画像の画質の劣化を防止することは困難である。
【００１１】
本発明は、このような状況に鑑みてなされたものであり、視覚刺激の急激な時間的変化を緩和し、動画像の画質を向上させることができるようにするものである。
【課題を解決するための手段】
【００１２】
本発明の第１の表示装置は、レーザ光を受光することにより、レーザ光に対応する動画像を表示するスクリーンを備え、スクリーンには、受光したレーザ光に応じて残光時間が20msec以下の燐光を発生する材料が、塗布されていることを特徴とする。
【００１３】
この材料は、硫化亜鉛蛍光体、ストロンチウムアルミネート、白金錯体であるようにすることができる。
【００１４】
また、材料は、赤色、緑色、または青色のレーザ光の波長に対応する材料であるようにすることができる。
【００１５】
スクリーンには、スクリーンの中心を含む領域に塗布される材料の濃度が、他の領域に塗布される材料の濃度に比べて濃くなるように、材料が塗布されているようにすることができる。
【００１６】
残光時間は、8.3msec以下であるようにすることができる。
【００１７】
本発明の第２の表示装置は、可視領域のレーザ光を受光することにより、レーザ光に対応する動画像を表示するスクリーンを備え、スクリーンには、受光したレーザ光に応じて蛍光を発生する材料が、塗布されていることを特徴とする。
【００１８】
この材料は、硫化亜鉛蛍光体、ストロンチウムアルミネート、白金錯体であるようにすることができる。
【００１９】
また、材料は、赤色、緑色、または青色のレーザ光の波長に対応する材料であるようにすることができる。
【００２０】
スクリーンには、スクリーンの中心を含む領域に塗布される材料の濃度が、他の領域に塗布される材料の濃度に比べて濃くなるように、材料が塗布されているようにすることができる。
【００２１】
本発明の第１の表示システムは、レーザ光を照射する照射装置と、レーザ光を受光する表示装置とを備え、照射装置は、所定の動画像に対応するレーザ光を表示装置に照射する照射手段を備え、表示装置は、照射手段により照射されたレーザ光を受光することにより、レーザ光に対応する動画像を表示するスクリーンを備え、スクリーンには、受光したレーザ光に応じて残光時間が20msec以下の燐光を発生する材料が、塗布されていることを特徴とする。
【００２２】
本発明の第２の表示システムは、可視領域のレーザ光を照射する照射装置と、レーザ光を受光する表示装置とを備え、照射装置は、所定の動画像に対応するレーザ光を表示装置に照射する照射手段を備え、表示装置は、照射手段により照射されたレーザ光を受光することにより、レーザ光に対応する動画像を表示するスクリーンを備え、スクリーンには、受光したレーザ光に応じて蛍光を発生する材料が、塗布されていることを特徴とする。
【００２３】
本発明の第１の表示装置においては、受光した可視領域のレーザ光に応じて残光時間が２０msec以下の燐光を発生する材料が、塗布されているスクリーンが、可視領域のレーザ光を受光することにより、レーザ光に対応する動画像を表示する。
【００２４】
本発明の第２の表示装置においては、受光したレーザ光に応じて蛍光を発生する材料が、塗布されているスクリーンが、レーザ光を受光することにより、レーザ光に対応する動画像を表示する。
【００２５】
本発明の第１の表示システムにおいては、照射装置が、所定の動画像に対応するレーザ光を表示装置に照射し、受光したレーザ光に応じて残光時間が20msec以下の燐光を発生する材料が、塗布されているスクリーンが、照射手段により照射されたレーザ光を受光することにより、レーザ光に対応する動画像を表示する。
【００２６】
本発明の第２の表示システムにおいては、照射装置が、所定の動画像に対応する可視領域のレーザ光を表示装置に照射し、受光したレーザ光に応じて燐光を発生する材料が、塗布されているスクリーンが、照射手段により照射されたレーザ光を受光することにより、レーザ光に対応する動画像を表示する。
【発明の効果】
【００２７】
本発明によれば、視覚刺激の急激な時間的変化を緩和し、動画像の画質を向上させることができる。
【発明を実施するための最良の形態】
【００２８】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００３０】
請求項１に記載の表示装置は、
レーザ光を受光することにより、前記レーザ光に対応する動画像を表示するスクリーン(例えば、図１のスクリーン１２)を備え、
前記スクリーンには、受光した前記レーザ光に応じて残光時間が20msec以下の燐光を発生する材料(例えば、残光材料１３)が、塗布されている
ことを特徴とする。
【００３１】
請求項４に記載の表示装置は、
前記スクリーンには、前記スクリーンの中心を含む領域(例えば、図４の領域１０１)に塗布される前記材料の濃度が、他の領域(例えば、図４の領域１０２)に塗布される前記材料の濃度に比べて濃くなるように、前記材料が塗布されている
ことを特徴とする。
【００３２】
請求項６に記載の表示装置は、
可視領域のレーザ光を受光することにより、前記レーザ光に対応する動画像を表示するスクリーン(例えば、図１のスクリーン１２)を備え、
前記スクリーンには、受光した前記レーザ光に応じて蛍光を発生する材料(例えば、図１の残光材料１３)が、塗布されている
ことを特徴とする。
【００３３】
請求項９に記載の表示装置は、
前記スクリーンには、前記スクリーンの中心を含む領域(例えば、図５の領域１０１)に塗布される前記材料の濃度が、他の領域(例えば、図５の領域１０２)に塗布される前記材料の濃度に比べて濃くなるように、前記材料が塗布されている
ことを特徴とする。
【００３４】
請求項１０に記載の表示システムは、
レーザ光を照射する照射装置(例えば、図１のプロジェクタ１１)と、前記レーザ光を受光する表示装置(例えば、図１のスクリーン１２)とを備える表示システムにおいて、
前記照射装置は、
所定の動画像に対応する前記レーザ光を前記表示装置に照射する照射手段(例えば、図２の走査ミラー部３５)
を備え、
前記表示装置は、
前記照射手段により照射されたレーザ光を受光することにより、前記レーザ光に対応する動画像を表示するスクリーン(例えば、図１のスクリーン１２)
を備え、
前記スクリーンには、受光した前記レーザ光に応じて燐光を発生する材料（例えば、残光材料１３）が、塗布されている
ことを特徴とする。
【００３５】
請求項１１に記載の表示システムは、
可視領域のレーザ光を照射する照射装置(例えば、図１のプロジェクタ１１)と、前記レーザ光を受光する表示装置(例えば、図１のスクリーン１２)とを備える表示システムにおいて、
前記照射装置は、
所定の動画像に対応する前記レーザ光を前記表示装置に照射する照射手段(例えば、図２の走査ミラー部３５)
を備え、
前記表示装置は、
前記照射手段により照射されたレーザ光を受光することにより、前記レーザ光に対応する動画像を表示するスクリーン(例えば、図１のスクリーン１２)
を備え、
前記スクリーンには、受光した前記レーザ光に応じて蛍光を発生する材料(例えば、残光材料１３)が、塗布されている
ことを特徴とする。
【００３６】
以下、本発明を適用した具体的な実施の形態について、図面を参照しながら詳細に説明する。
【００３７】
図１は、本発明を適用した表示システムの一実施の形態の構成例を示す斜視図である。
【００３８】
図１の表示システム１は、プロジェクタ１１とスクリーン１２から構成される。
【００３９】
プロジェクタ１１には、例えば、図示せぬパーソナルコンピュータが接続され、そのパーソナルコンピュータから、動画像のデジタルデータ（以下、動画像データという）が入力される。プロジェクタ１１は、入力された動画像データに対応する赤色（Ｒ）、緑色（Ｇ）、または青色（Ｂ）のレーザ光を、スクリーン１２に照射する。なお、以下では、赤色、緑色、青色のレーザ光を区別する必要がない場合、それらをまとめてレーザ光という。
【００４０】
スクリーン１２は、プロジェクタ１１から照射されたレーザ光をそれぞれ受光する。スクリーン１２には、燐光または蛍光を発生する材料（蛍光体）（以下、残光材料という）１３が塗布されており、残光材料１３は、プロジェクタ１１から受光したレーザ光に応じて、残光時間が20msec以下の燐光または蛍光を発生する。これにより、スクリーン１２には、レーザ光に対応する動画像が表示される。
【００４１】
ここで、ある物質を構成する原子や分子のエネルギ状態が、高いエネルギ状態に励起されると、高エネルギ準位の電子が低エネルギ準位に遷移し、電子と正孔が再結合され、光が放出される。この現象を、ルミネッセンス（Luminescence）といい、ルミネッセンスを発現することができる物質を蛍光体（Phosphor）という。そして、励起を止めた後も放出される光を残光という。なお、残光が放出される時間(以下、残光時間という)が１０-6秒以下の光を蛍光といい、蛍光より残光時間の長い光を燐光という。このことは、例えば、「オプトエレクトロニクスとその材料」（光学図書株式会社、第２版，２８頁と４４頁）に記載されている。
【００４２】
残光材料１３としては、例えば、「ＺｎＳ：Ｃｕ（硫化亜鉛蛍光体）」、「ＳｒＡｌ2Ｏ4（ストロンチウムアルミネート）」、「ＳｒＡｌ2Ｏ4：Ｅｕ」、「ＳｒＡｌ2Ｏ4：Ｅｕ，Ｄｙ」、「Ｓｒ4Ａｌ12Ｏ25：Ｅｕ，Ｄｙ」、「ＣａＡｌ2Ｏ4：Ｅｕ，Ｎｄ」などの蓄光顔料（蛍光顔料）がある。なお、「ＳｒＡｌ2Ｏ4：Ｅｕ」は、ストロンチウムアルミネートを母体結晶とし、不純物として、稀土類元素である「Ｅｕ」を含むものである。また、このことは、「ＳｒＡｌ2Ｏ4：Ｅｕ，Ｄｙ」、「Ｓｒ4Ａｌ12Ｏ25：Ｅｕ，Ｄｙ」、「ＣａＡｌ2Ｏ4：Ｅｕ，Ｎｄ」においても同様である。蓄光顔料については、「塗料の研究Ｎｏ．１３８」（July 2002，５４頁）に記載されている。
【００４３】
なお、残光材料１３の種類や含有量（光学濃度（＝残光材料１３の濃度×膜厚））の選択により、励起に必要な光(以下、励起光という)や発光される光の特性、残光時間などを、所望のものにすることができる。例えば、残光材料１３として、４００ｎｍ程度の短波長で励起され、５００ｎｍ程度の波長で発光するものを用いた場合、励起光は、紫外領域の光となるが、残光材料１３として白金錯体を用いた場合、励起光を、可視領域の光となる。また、基本的には、残光材料１３の光学濃度が高い(濃い)程、残光の輝度は高くなる。
【００４４】
スクリーン１２には、赤色、緑色、または青色のレーザ光の波長に対応する残光材料１３を塗布することもできる。即ち、スクリーン１２には、励起光が赤色、緑色、または青色のレーザ光である場合に、発光される光の輝度が高い残光材料１３を塗布することもできる。
【００４５】
以上のように、スクリーン１２には、残光材料１３が塗布されるので、プロジェクタ１１から受光したレーザ光に応じて、燐光または蛍光を発生することができる。
【００４６】
図２は、図１のプロジェクタ１１の内部の構成例を示すブロック図である。
【００４７】
図１のプロジェクタ１１は、光源部３１、照明レンズ部３２、デバイス部３３、投射レンズ部３４、および走査ミラー部３５から構成される。
【００４８】
光源部３１は、レーザ光を発光し、照明レンズ部３２を介して、デバイス部３３に照射する。デバイス部３３には、図示せぬパーソナルコンピュータなどから、動画像データが入力される。デバイス部３３は、例えば、GLV(Grating Light Valve)から構成される。デバイス部３３は、入力された動画像データに基づいて、光の回折効果を利用して、照明レンズ部３２からのレーザ光の向きや色などを制御し、投射レンズ部３４を介して、走査ミラー部３５に照射する。走査ミラー部３５は、投射レンズ部３４からのレーザ光を、水平方向に走査(スキャン)しながら、スクリーン１２に照射する。これにより、スクリーン１２には、動画像が表示される。
【００４９】
次に、図３を参照して、図１のスクリーン１２に表示される動画像を説明する。
【００５０】
図３では、長方形の物体（の画像）７１が右方向に動いている動画像が、スクリーン１２に表示される。
【００５１】
図３の一番上の図は、時刻ｔ1に、スクリーン１２に表示されている物体７１を示している。なお、物体７１の左端の線を、左辺Ｌという。
【００５２】
図３の中央の図は、時刻ｔ2（ｔ2＞ｔ1）に、スクリーン１２に表示されている物体７１を示している。図３の中央の図に示すように、物体７１の左辺Ｌの位置は、一番上の図の物体７１の左辺Ｌの位置より、右方向にｌ1（ｌ1＞０）だけ動いている。物体７１の左辺Ｌの左側には、残光が発生している残光領域７２がある。この残光領域７２は、物体７１が右方向にｌ1だけ移動する前の時刻ｔ1には、物体７１が表示されていたが、時刻ｔ2には、物体７１が表示されていない領域である。即ち、残光領域７２は、時刻ｔ2では、プロジェクタ１１からのレーザ光が照射されていないが、時刻ｔ1に照射されていたレーザ光に応じて、残光材料１３による燐光または蛍光の残光が発生している領域である。従って、残光領域７２の幅（図中横方向の長さ）は、物体７１が時刻ｔ1からｔ2に動いた距離であるｌ1となっている。
【００５３】
図３の一番下の図は、時刻ｔ3（ｔ3＞ｔ2）に、スクリーン１２に表示されている物体７１を示している。図３の一番下の図に示すように、物体７１の左辺Ｌの位置は、中央の図の物体７１の左辺Ｌの位置より、右方向にｌ2（ｌ2＞０）だけ動いている。物体７１の左辺Ｌの左側には、残光が発生している残光領域７３がある。この残光領域７３は、残光領域７２と同様に、物体７１が右方向にｌ2だけ移動する前の時刻ｔ2には、物体７１が表示されていたが、時刻ｔ3には、物体７１が表示されていない領域である。従って、残光領域７３の幅は、残光領域７２と同様に、物体７１が時刻ｔ2からｔ3に動いた距離であるｌ2となっている。
【００５４】
以上のように、スクリーン１２は、残光材料１３による残光が発生するので、残光が発生しない場合に比べて、残光領域７２や７３における輝度の急激な時間的変化、即ち視覚刺激の急激な時間的変化を緩和することができる。例えば、残光が発生しない場合、残光領域７２の輝度は、時刻ｔ1からｔ2の間に、物体７１の輝度から、物体７１以外の物体(例えば、背景)の輝度に急激に変化し、ジャーキネスが発生しやすい。これに対して、スクリーン１２では、残光材料１３により残光領域７２で残光が発生するので、残光領域７２の輝度は、時刻ｔ1からｔ2の間に、物体７１の輝度から、残光の輝度に緩やかに変化する。従って、スクリーン１２では、ジャーキネスの発生を防止し、表示される動画像の動きを滑らかにすること、つまり、スクリーン１２に表示される動画像の画質を向上させることができる。
【００５５】
なお、残光材料１３として、残光時間が20msec以下という比較的短い時間の燐光または蛍光を発生するものを用いているため、スクリーン１２に表示される動画像の動画ボケの発生を抑制することができる。ここで、残光材料１３として、残光時間が8.3msec以下の燐光または蛍光を発生するものを用いた場合、スクリーン１２に表示されるフレームレートが約120Hz以上の動画像の画質を向上させることができる。
【００５６】
次に、図４と図５を参照して、図１のスクリーン１２の正面に塗布される残光材料１３を説明する。
【００５７】
図４では、図１のスクリーン１２の正面のすべての領域９１に、同一の光学濃度の残光材料１３が塗布されている。この場合、スクリーン１２の正面のいかなる領域においても、残光材料１３により同一の輝度の残光が放出される。従って、スクリーン１２のいかなる領域に表示される動画像であっても、同様に、画質を向上させることができる。
【００５８】
図５では、スクリーン１２の正面の中心を含む円の内側の領域(中心を含む領域)１０１に、所定の光学濃度の残光材料１３が塗布され、その他の領域１０２に、領域１０１の残光材料１３の光学濃度に比べて、薄い光学濃度の残光材料１３が塗布されている。即ち、スクリーン１２の中心を含む円の内側の領域１０１に塗布される残光材料１３の光学濃度が、他の領域１０２に塗布される残光材料１３の光学濃度に比べて濃くなるように、残光材料１３が塗布されている。
【００５９】
ここで、ユーザは、スクリーン１２に表示される動画像を見る場合、スクリーン１２の中心を含む円の内側の領域１０１を見ることが多い。従って、スクリーン１２の中心を含む円の内側の領域１０１の残光材料１３の光学濃度を、その他の領域１０２の残光材料１３の光学濃度に比べて濃くし、領域１０１で放出される残光の輝度を高くすることにより、ユーザが見ることの多い領域１０１に表示される動画像の画質を、その他の領域１０２に表示される動画像の画質に比べて向上させることができる。
【００６０】
また、スクリーン１２の中心を含む円の内側の領域１０１以外の領域１０２の残光材料１３の光学濃度を薄くすることにより、図４に示したように、すべての領域９１に、領域１０１の残光材料１３と同一の光学濃度の残光材料１３を塗布する場合に比べて、スクリーン１２に塗布する残光材料の量を削減することができる。その結果、スクリーン１２の製造コストを削減することができる。
【００６１】
なお、スクリーン１２に塗布する残光材料１３の光学濃度の変化は、図５に示したものに限定されない。例えば、スクリーン１２の中心から外側に向けて、残光材料１３の光学濃度を徐々に薄くすることもできる。また、光学濃度が濃い残光材料１３が塗布される領域は、スクリーン１２の中心を含む円の内側の領域１０１に限らず、中心を含む楕円、正方形などその他の図形の内側の領域とすることができる。さらに、スクリーン１２の正面の領域を、２つ以上に区分けし、それぞれの領域に異なる光学濃度の残光材料１３を塗布することもできる。
【００６２】
なお、上述したスクリーン１２の上面に、照射された光を拡散する拡散フィルタが設けられる場合には、拡散フィルタとスクリーン１２との間に、残光材料１３が塗布される。この場合、残光材料１３により発光された燐光または蛍光は、拡散フィルタにより拡散され、外部へ射出する。
【００６３】
以上のように、スクリーン１２において、受光したレーザ光に応じて燐光または蛍光を発生する残光材料１３を塗布するようにしたので、残光を発生して、視覚刺激の急激な時間的変化を緩和し、動画像の画質を向上させることができる。
【図面の簡単な説明】
【００６４】
【図１】本発明を適用した表示システムの一実施の形態の構成例を示す斜視図である。
【図２】図１のプロジェクタの構成例を示すブロック図である。
【図３】図１のスクリーンに表示される動画像を説明する。
【図４】図１のスクリーンの正面に塗布される残光材料を説明する図である。
【図５】図１のスクリーンの正面に塗布される残光材料を説明する図である。
【符号の説明】
【００６５】
１１  プロジェクタ，  １２  スクリーン，  １３  残光材料，  ３１  光源部，  ３２  照明レンズ部，  ３３  デバイス部，  ３４  投射レンズ部，  ３５  走査ミラー部，  ９１，１０１，１０２  領域
【図１】
2006091463.tif 000003
【図２】
2006091463.tif 000004
【図３】
2006091463.tif 000005
【図４】
2006091463.tif 000006
【図５】
2006091463.tif 000007